(57)【要約】【課題】保持されているディスプレイと外部電源とを接続可能にしたディスプレイホルダーを提供する。【解決手段】ディスプレイ設置台２０は、起立姿勢でディスプレイを挟む上下で一対の保持部を備え、各保持部は、ディスプレイの縁と対向する一部に切り欠き部３３，５４，６４を備え、格納部１０は、倒伏姿勢のディスプレイ設置台２０が通り、かつ、ディスプレイ設置台２０が格納されているときに、一方の保持部によって埋められる開口部１１を備え、開口部１１は、倒伏姿勢で切り欠き部３３，５４，６４が通る位置に、開口部１１の内側に向けて突き出る突部１２を備え、突部１２は、ディスプレイ設置台２０が格納されているときに、一方の保持部における切り欠き部３３，５４を埋める。【選択図】図２
2019131116.tif 000002
【特許請求の範囲】
【請求項１】
車両のインストルメントパネル部に位置する格納部に格納可能に構成されたディスプレイ設置台を備えるディスプレイホルダーであって、
前記ディスプレイ設置台は、
倒伏姿勢で前記格納部に格納され、かつ、前記格納部から引き出されて起立姿勢でディスプレイを保持するように構成され、
前記ディスプレイ設置台は、
前記起立姿勢でディスプレイを挟む上下で一対の保持部を備え、
各保持部は、前記ディスプレイの縁と対向する一部に切り欠き部を備え、
前記格納部は、前記倒伏姿勢のディスプレイ設置台が通り、かつ、前記ディスプレイ設置台が格納されているときに、一方の前記保持部によって埋められる開口部を備え、
前記開口部は、前記倒伏姿勢で前記切り欠き部が通る位置に、前記開口部の内側に向けて突き出る突部を備え、
前記突部は、前記ディスプレイ設置台が格納されているときに、前記一方の保持部における前記切り欠き部を埋める形状を有する
ディスプレイホルダー。
【請求項２】
前記起立姿勢のディスプレイ設置台で前記開口部と対向する面が背面であり、
前記ディスプレイホルダーは、前記背面に回転可能に接続された支え部をさらに備え、
前記支え部は、前記ディスプレイ設置台が前記倒伏姿勢であるときには、前記背面に沿う姿勢を有し、前記ディスプレイ設置台が前記起立姿勢であるときには、前記背面に対して傾いた姿勢を有し、
前記支え部は、前記起立姿勢のディスプレイ設置台が前記開口部に向けて押し込まれることによって前記突部と当接する当接部を備え、
前記当接部は、前記突部との当接によって前記支え部の回転を規制し、かつ、前記突部と面接触で当接するように構成されている
請求項１に記載のディスプレイホルダー。
【請求項３】
前記切り欠き部は、前記起立姿勢のディスプレイ設置台において、前記引き出される方向に開口を向けている
請求項１または２に記載のディスプレイホルダー。
【請求項４】
各保持部は、前記ディスプレイを保持するための左右で一対の保持爪をさらに備え、
前記一対の保持爪は、前記起立姿勢のディスプレイ設置台において、上下に延び、かつ、前記切り欠き部の開口を左右で挟む
請求項３に記載のディスプレイホルダー。
【請求項５】
前記ディスプレイ設置台が格納されているときに、前記開口部と対向する方向から見て、前記切り欠き部の外形と、前記突部の外形とは、相互に一致している
請求項１から４のいずれか一項に記載のディスプレイホルダー。
【発明の詳細な説明】
【技術分野】
【０００１】
本発明は、車両のインストルメントパネル部に格納されるディスプレイホルダーに関する。
【背景技術】
【０００２】
上記ディスプレイホルダーは、ディスプレイ設置台を備えて、スマートフォンやタブレットコンピュータなどのディスプレイを、ディスプレイ設置台に設置する。ディスプレイ設置台は、倒伏姿勢で、インストルメントパネル部に格納されたり、インストルメントパネル部から引き出されたりする。ディスプレイ設置台は、引き出されてから起こされて、ディスプレイを立てられた姿勢に保持する（例えば、特許文献１を参照）。
【先行技術文献】
【特許文献】
【０００３】
【特許文献１】特表２０１６−５００３５３号公報
【発明の概要】
【発明が解決しようとする課題】
【０００４】
上記ディスプレイは、駆動用の電源として二次電池を搭載している。駆動用に外部電源をさらに確保することは、二次電池に頼らない駆動をディスプレイで実現可能にする。そこで、上記ディスプレイホルダーには、保持されているディスプレイと外部電源とを接続可能にする構成が望まれている。
本発明の目的は、保持されているディスプレイと外部電源とを接続可能にしたディスプレイホルダーを提供することである。
【課題を解決するための手段】
【０００５】
上記課題を解決するためのディスプレイホルダーは、車両のインストルメントパネル部に位置する格納部に格納可能に構成されたディスプレイ設置台を備えるディスプレイホルダーであって、前記ディスプレイ設置台は、倒伏姿勢で前記格納部に格納され、かつ、前記格納部から引き出されて起立姿勢でディスプレイを保持するように構成され、前記ディスプレイ設置台は、前記起立姿勢でディスプレイを挟む上下で一対の保持部を備え、各保持部は、前記ディスプレイの縁と対向する一部に切り欠き部を備え、前記格納部は、前記倒伏姿勢のディスプレイ設置台が通り、かつ、前記ディスプレイ設置台が格納されているときに、一方の前記保持部によって埋められる開口部を備え、前記開口部は、前記倒伏姿勢で前記切り欠き部が通る位置に、前記開口部の内側に向けて突き出る突部を備え、前記突部は、前記ディスプレイ設置台が格納されているときに、前記一方の保持部における前記切り欠き部を埋める形状を有する。
【０００６】
上記構成によれば、上下で一対の保持部が、ディスプレイを上下方向で挟み、それによって、ディスプレイホルダーは、ディスプレイを立てられた姿勢に保持する。この際、少なくとも一方の保持部は、ディスプレイと外部電源との間において、切り欠き部を通して、ケーブルの接続を可能とする。そのため、保持されているディスプレイに外部電源から電力を供給することが可能となる。また、ディスプレイ設置台が格納部に格納されているとき、格納部が備える開口部は、一方の保持部によって埋められる。そして、一方の保持部が備える切り欠き部は、開口部が備える突部によって埋められる。結果として、ディスプレイ設置台が格納部に格納されているとき、開口部が開放され続けることを抑えることが可能となる。
【０００７】
上記ディスプレイホルダーにおいて、前記起立姿勢のディスプレイ設置台で前記開口部と対向する面が背面であり、前記ディスプレイホルダーは、前記背面に回転可能に接続された支え部をさらに備え、前記支え部は、前記ディスプレイ設置台が前記倒伏姿勢であるときには、前記背面に沿う姿勢を有し、前記ディスプレイ設置台が前記起立姿勢であるときには、前記背面に対して傾いた姿勢を有し、前記支え部は、前記起立姿勢のディスプレイ設置台が前記開口部に向けて押し込まれることによって前記突部と当接する当接部を備え、前記当接部は、前記突部との当接によって前記支え部の回転を規制し、かつ、前記突部と面接触で当接するように構成されてもよい。
【０００８】
上記構成によれば、起立姿勢のディスプレイ設置台が支え部によって支えられるため、起立姿勢の安定性を高めることが可能となる。この際、支え部の姿勢は、開口部の突部と、支え部との当接によって保たれる。そして、支え部と突部との当接は、面接触で実現される。結果として、支え部と突部との当接が、複数回にわたって繰り返された場合であっても、当接痕が突部に残ることを抑えることが可能ともなる。すなわち、突部が視認されるディスプレイホルダーにおいて、その意匠性を保つことが可能ともなる。
【０００９】
上記ディスプレイホルダーにおいて、前記切り欠き部は、前記起立姿勢のディスプレイ設置台において、前記引き出される方向に開口を向けてもよい。
上記構成によれば、ディスプレイ設置台が引き出される方向に切り欠き部が開口を向けている。すなわち、起立姿勢のディスプレイ設置台において、切り欠き部の開口は、利用者に向いている。そのため、利用者がディスプレイにケーブルを接続する際に、利用者の作業性を向上させることが可能ともなる。
【００１０】
上記ディスプレイホルダーにおいて、各保持部は、前記ディスプレイを保持するための左右で一対の保持爪をさらに備え、前記一対の保持爪は、前記起立姿勢のディスプレイ設置台において、上下に延び、かつ、前記切り欠き部の開口を左右で挟んでもよい。
【００１１】
上記構成によれば、起立姿勢のディスプレイ設置台において、切り欠き部の開口と、一対の保持爪での間隙とが、利用者に開口を向けている。そのため、利用者の作業性をさらに向上させることが可能であると共に、保持されているディスプレイの姿勢の安定性を向上させることが可能ともなる。
【００１２】
上記ディスプレイホルダーにおいて、前記ディスプレイ設置台が格納されているときに、前記開口部と対向する方向から見て、前記切り欠き部の外形と、前記突部の外形とは、相互に一致してもよい。
【００１３】
上記構成によれば、切り欠き部の外形と突部の外形とが相互に一致しているため、突部が視認されるディスプレイホルダーにおいて、その意匠性をさらに高めることが可能ともなる。
【図面の簡単な説明】
【００１４】
【図１】ディスプレイホルダーの一実施形態における格納状態での斜視構造を示す図。
【図２】ディスプレイホルダーの引出状態での斜視構造を示す図。
【図３】ディスプレイホルダーの保持状態での斜視構造を示す図。
【図４】ディスプレイ設置台の保持状態での側面構造を示す図。
【発明を実施するための形態】
【００１５】
以下、図１から図４を参照して、ディスプレイホルダーの一実施形態を説明する。なお、図１は、ディスプレイ設置台が格納部に格納された状態を示す。図２は、ディスプレイ設置台が格納部から引き出されて、ディスプレイ設置台が倒伏姿勢から起立姿勢に変位した状態を示す。図３は、起立姿勢のディスプレイ設置台にディスプレイが設置された状態を示す。
【００１６】
図１が示すように、ディスプレイホルダーは、格納部１０とディスプレイ設置台２０とを備える。
格納部１０は、車両のインストルメントパネル部に取り付けられる箱体状を有する。格納部１０は、四角形状の引出口１１Ｈを車室に向けた開口部１１を備える。開口部１１は、引出口１１Ｈの内側に向けて下方に延びる突部１２を備える。突部１２は、引出口１１Ｈの縁を底部とした逆錐台状を有する。格納部１０は、ディスプレイ設置台２０を格納する。
【００１７】
ディスプレイ設置台２０は、操作部３０を備える。操作部３０は、閉塞壁３１とハンドル３２とを備える。閉塞壁３１は、格納部１０に格納されたディスプレイ設置台２０の正面を構成する。操作部３０は、切り欠き部３３を備える。切り欠き部３３は、閉塞壁３１の周縁に位置し、開口部１１の上側縁に開口を向けている。切り欠き部３３の外形は、引出口１１Ｈと対向する方向から見て、突部１２の外形と一致している。切り欠き部３３は、突部１２によって埋められ、引出口１１Ｈの全体は、閉塞壁３１によって埋められている。
【００１８】
開口部１１の全体を閉塞壁３１で埋められた構造は、開口部１１と操作部３０とによる連続的な表面形状を形成する。また、開口部１１の全体を閉塞壁３１で埋められた構造は、格納部１０に異物が入り込むことを抑える。
【００１９】
ハンドル３２は、下方に開口を向けた半椀状を有し、下方から指などを差し込まれる。ハンドル３２は、ディスプレイ設置台２０を格納部１０から引き出すこと、ディスプレイ設置台２０を到伏姿勢から起立姿勢に変えること、および、ディスプレイ設置台２０を格納部１０に押し込むことに用いられる。
【００２０】
図２が示すように、ディスプレイホルダーは、並進台４０を備える。ディスプレイ設置台２０は、操作部３０、下側挟持部５０、および、上側挟持部６０を備える。
【００２１】
並進台４０は、並進板４１と閉塞壁４２とを備える。並進板４１は、格納部１０に格納される矩形板状を有し、開口部１１の引出口１１Ｈを通過できる大きさを有する。並進板４１は、格納部１０から車室内に向けた引き出しと、車室内から格納部１０に向けた押し込みとを可能にする。並進板４１は、車室側の端部に回転軸４１Ａを備える。ディスプレイ設置台２０は、並進板４１の回転軸４１Ａに連結されて、並進板４１に沿って倒れた姿勢（倒伏姿勢）と、起立した姿勢（起立姿勢）との間で回転する。ディスプレイ設置台２０は、並進板４１と共に、倒伏姿勢で格納部１０に格納される。ディスプレイ設置台２０は、倒伏姿勢で格納部１０から引き出され、また、倒伏姿勢で格納部１０に押し込まれる。ディスプレイ設置台２０は、並進板４１と共に格納部１０から倒伏姿勢で引き出されて、図中矢印方向に回転し、起立姿勢に変位する。
【００２２】
並進台４０は、格納部１０側の端部に閉塞壁４２を備える。閉塞壁４２は、格納部１０から引き出された並進台４０において、背面を構成する。閉塞壁４２は、切り欠き部４３を備える。切り欠き部４３は、閉塞壁４２の周縁に位置し、開口部１１の上側縁に開口を向けている。切り欠き部４３の外形は、引出口１１Ｈと対向する方向から見て、突部１２の外形と一致している。切り欠き部４３は、突部１２によって埋められ、引出口１１Ｈの全体は、閉塞壁４２によって埋められている。開口部１１の全体を閉塞壁４２で埋められた構造は、並進台４０が引き出された状態において、格納部１０に異物が入り込むことを抑える。
【００２３】
ディスプレイ設置台２０は、操作部３０、下側挟持部５０、および、上側挟持部６０を備える。ディスプレイ設置台２０は、ディスプレイを挟むための上下で一対の保持部を備える。操作部３０、および、下側挟持部５０は、一方の保持部を構成する。上側挟持部６０は、他方の保持部を構成する。
【００２４】
操作部３０は、起立姿勢のディスプレイ設置台２０において、閉塞壁３１から上方に延びる背面壁３４を備える。背面壁３４は、起立姿勢のディスプレイ設置台２０において、開口部１１と対向する面、すなわち、ディスプレイ設置台２０の背面を構成する。ディスプレイ設置台２０は、倒伏姿勢において、背面壁３４の背面を並進板４１の上面と対向させる。
【００２５】
下側挟持部５０は、下側挟持壁５１、背面支持壁５２、および、左右で一対の保持爪５３を備える。起立姿勢のディスプレイ設置台２０において、下側挟持壁５１は、ディスプレイの下縁を支持し、背面支持壁５２は、ディスプレイの背面を支持し、一対の保持爪５３は、ディスプレイの下縁が下側挟持壁５１から外れることを抑える。
【００２６】
起立姿勢のディスプレイ設置台２０において、下側挟持壁５１は、閉塞壁３１上に位置し、切り欠き部５４を備える。切り欠き部５４の外形は、上下方向から見て、閉塞壁３１の切り欠き部３３と一致している。これら切り欠き部３３，５４は、ディスプレイ設置台２０の引き出される方向（正面方向）に開口を向けている。背面支持壁５２は、下側挟持壁５１における背面側の端部から上方に突き出ている。一対の保持爪５３は、下側挟持壁５１における正面側の端部から上方に突き出ている。一対の保持爪５３は、切り欠き部５４の開口を左右で挟んでいる。そして、ディスプレイ設置台２０が倒伏姿勢で引出口１１Ｈを通るとき、開口部１１の突部１２は、切り欠き部３３，５４を通る。
【００２７】
上側挟持部６０は、上側挟持壁６１、および、左右で一対の保持爪６３を備える。起立姿勢のディスプレイ設置台２０において、上側挟持壁６１は、ディスプレイの上縁を支持し、一対の保持爪６３は、ディスプレイの上縁が上側挟持壁６１から外れることを抑える。
【００２８】
上側挟持壁６１は、上下方向に変位可能に、背面壁３４に連結されている。上側挟持壁６１は、切り欠き部６４を備える。起立姿勢のディスプレイ設置台２０において、切り欠き部６４の外形は、上下方向から見て、切り欠き部３３，５４と一致している。切り欠き部６４は、ディスプレイ設置台２０の引き出される方向（開口部１１よりも前側）に開口を向けている。一対の保持爪６３は、上側挟持壁６１における正面側の端部から下方に突き出ている。一対の保持爪６３は、切り欠き部６４の開口を左右で挟んでいる。そして、ディスプレイ設置台２０が倒伏姿勢で引出口１１Ｈを通るとき、開口部１１の突部１２は、切り欠き部６４を通る。
【００２９】
図３が示すように、ディスプレイホルダーは、ディスプレイ７０の保持に際して、ディスプレイ設置台２０を起立姿勢に保ちながら（図２が示す状態から）、並進台４０を格納部１０に向けて押し込まれる。次いで、ディスプレイ設置台２０は、上側挟持部６０を一度上方に引き上げられて、下側挟持部５０と上側挟持部６０との間にディスプレイ７０が置かれる。続いて、上側挟持部６０がディスプレイ７０の上縁と当接するように、上側挟持部６０を下げられる。
【００３０】
この際、切り欠き部３３，５４は、ディスプレイ７０の下縁における中央と対向する。切り欠き部６４は、ディスプレイ７０の上縁における中央と対向する。そして、ディスプレイ設置台２０は、ディスプレイ７０と外部電源との間において、切り欠き部３３，５４を通して、ケーブル７１の接続を可能とする。
【００３１】
図４が示すように、ディスプレイ設置台２０は、ロック機構５６を内蔵している。ロック機構５６は、上下方向における上側挟持部６０の位置を、背面壁３４に対してロックする。ロック機構５６は、背面壁３４に対する上側挟持部６０のロックを、操作ノブの操作によって解除する。すなわち、ロック機構５６は、上側挟持部６０とディスプレイ７０の上縁とが当接するように、上側挟持部６０の下降を可能とする。また、ロック機構５６は、上側挟持部６０とディスプレイ７０の上縁とが当接した位置で、上側挟持部６０の位置決めを可能とする。
【００３２】
ディスプレイ設置台２０は、支え部３５を備える。支え部３５は、背面壁３４の背面に、左右に延びる回転軸３５Ａを介して、回転可能に接続されている。ディスプレイ設置台２０が倒伏姿勢であるとき、支え部３５は、背面壁３４の背面に沿う姿勢を有する。ディスプレイ設置台２０が起立姿勢であるとき、支え部３５は、支え部３５の下端を並進板４１の上面に接触させて、背面壁３４の背面に対して傾いた姿勢を有する。
【００３３】
支え部３５は、当接部３５Ｔを備える。当接部３５Ｔは、開口部１１に向けて突き出た突部である。当接部３５Ｔは、起立姿勢のディスプレイ設置台２０が開口部１１に向けて押し込まれるとき、開口部１１の突部１２と当接する。当接部３５Ｔは、突部１２の正面１２Ｆと当接して、支え部３５の回転を規制する。すなわち、当接部３５Ｔは、起立姿勢のディスプレイ設置台２０が開口部１１に向けて押し込まれる距離を定める。また、当接部３５Ｔは、起立姿勢のディスプレイ設置台２０が開口部１１に向けて押し込まれた状態で、起立姿勢のディスプレイ設置台２０を支える。当接部３５Ｔは、左右方向から見て三角形状を有し、起立姿勢のディスプレイ設置台２０が開口部１１に向けて押し込まれた状態では、突部１２の正面に追従した背面を備える。そして、当接部３５Ｔは、当接部３５Ｔと突部１２とが当接した状態で、突部１２と面接触する。
【００３４】
以上、上記実施形態によれば、以下に列挙する効果を得られる。
（１）起立姿勢のディスプレイ設置台２０において、操作部３０の切り欠き部３３と、下側挟持部５０の切り欠き部５４とは、ディスプレイ７０の下縁における中央と対向する。そのため、ディスプレイ設置台２０は、ディスプレイ７０と外部電源との間において、これら切り欠き部３３，５４を通して、ケーブル７１の接続を可能とする。結果として、保持されているディスプレイ７０に外部電源から電力を供給することが可能となる。
【００３５】
（２）ディスプレイ設置台２０が格納部１０に格納されているとき、格納部１０が備える開口部１１は、操作部３０によって埋められる。操作部３０が備える切り欠き部３３は、開口部１１が備える突部１２によって埋められる。そのため、ディスプレイ設置台２０が格納部１０に格納されているとき、開口部１１が開放され続けることを抑えることが可能となる。
（３）起立姿勢のディスプレイ設置台２０が支え部３５によって支えられるため、起立姿勢の安定性を高めることが可能となる。
【００３６】
（４）ディスプレイ設置台２０を支える際の支え部３５の姿勢は、開口部１１の突部１２と、支え部３５の当接部３５Ｔとの当接によって保たれる。この際、支え部３５と突部１２との当接は、面接触で実現される。そのため、支え部３５と突部１２との当接が、複数回にわたって繰り返された場合であっても、当接痕が突部１２の正面１２Ｆに残ることを抑えることが可能ともなる。そして、突部１２が視認されるディスプレイホルダーにおいて、その意匠性を保つことが可能ともなる。
【００３７】
（５）切り欠き部３３，５４は、ディスプレイ設置台２０が引き出される方向に開口を向けている。そのため、利用者がディスプレイ７０にケーブルを接続する際に、利用者の作業性を向上させることが可能ともなる。
【００３８】
（６）また、切り欠き部３３，５４を挟む一対の保持爪５３での間隙も、利用者に開口を向けている。結果として、利用者の作業性をさらに向上させることが可能であると共に、保持されているディスプレイ７０の姿勢の安定性を向上させることが可能ともなる。
【００３９】
（７）ディスプレイ設置台２０が格納部１０に格納された状態で、切り欠き部３３の外形と、突部１２の外形とが、正面から見て、相互に一致している。そのため、突部１２が視認されるディスプレイホルダーにおいて、その意匠性をさらに高めることが可能ともなる。
【００４０】
なお、上記実施形態は、以下のように変更して実施することが可能である。
・突部１２の外形は、例えば、ディスプレイ設置台２０が格納部１０に格納された状態で、切り欠き部３３との間に十分な間隙を有する形状であってもよく、切り欠き部３３の少なくとも一部を埋める形状であればよい。突部１２と切り欠き部３３との間に十分な間隙を有する構成によれば、ディスプレイ設置台２０が引き出されるときに、ディスプレイ設置台２０と開口部１１との接触を抑えることが可能ともなる。すなわち、ディスプレイ設置台２０の引き出し操作を円滑に行うことが可能ともなる。
【００４１】
・下側挟持部５０から保持爪５３が割愛されてもよい。下側挟持部５０が備える保持爪５３の数量は、３個以上であってもよい。なお、起立姿勢のディスプレイ設置台２０において、切り欠き部５４の開口上方に保持爪５３が位置することも可能である。切り欠き部５４の開口上方に保持爪５３が位置する構成であれば、ディスプレイ７０とケーブルとの接続部位を、保持爪５３によって覆うことが可能ともなる。
【００４２】
・起立姿勢のディスプレイ設置台２０において、切り欠き部３３，５４は、ディスプレイ設置台２０よりも開口部１１側（背面方向）に開口を向けることも可能である。
・ディスプレイ設置台２０の回転方向は、倒伏姿勢から起立姿勢に変位する際に、図２に示す矢印方向とは反対方向（紙面手前下方）とすることも可能である。
【００４３】
・起立姿勢のディスプレイ設置台２０を支える構成は、上述した支え部３５に限らず、例えば、並進板４１の押し込みによる、ディスプレイ設置台２０の背面と、開口部１１との当接であってもよい。この際、開口部１１における意匠性を保つ観点から、ディスプレイ設置台２０の背面に、緩衝材などによる緩衝機能を付与ことも可能である。
【００４４】
・突部１２と当接部３５Ｔとの当接は、点接触や線接触に変更することも可能である。この際、突部１２における意匠性を保つ観点から、当接部３５Ｔの表面に、緩衝材などによる緩衝機能を付与することも可能である。
【符号の説明】
【００４５】
１０…格納部、１１…開口部、１１Ｈ…引出口、１２…突部、２０…ディスプレイ設置台、３３…切り欠き部、３５…支え部、３５Ｔ…当接部、４３…切り欠き部、５３…保持爪、５４…切り欠き部、６３…保持爪、６４…切り欠き部、７０…ディスプレイ。
【図１】
2019131116.tif 000003
【図２】
2019131116.tif 000004
【図３】
2019131116.tif 000005
【図４】
2019131116.tif 000006